(57)【要約】      （修正有）【課題】手で直接に触ることなく衛生的であり、年寄りにとっても操作が楽な便ふた上げ機を提供する。【解決手段】台座を含み、台座の中には回転溝が設けられ、回転溝の中には下ロッド１４が回転できるように設けられ、下ロッド１４の頂端には上ロッド１３が設けられ、台座が便座表面に固定され、上ロッド１３と便ふたとがヒンジにより連結され、回転溝の中には便ふた上げ装置が設けられ、回転溝の左壁の中には動力チャンバが設けられ、動力チャンバの中には伝動装置が設けられ、動力チャンバの下壁の中には切り替えチャンバが設けられ、切り替えチャンバの中には動力保存装置が設けられる。【選択図】図１
2020157024.tif 000002
【特許請求の範囲】
【請求項１】
台座を含み、前記台座の中には回転溝が設けられ、前記回転溝の中には下ロッドが回転できるように設けられ、前記下ロッドの頂端には上ロッドが設けられ、前記台座が便座表面に固定され、前記上ロッドと便ふたとがヒンジにより連結され、前記回転溝の中には便ふた上げ装置が設けられ、前記回転溝の左壁の中には動力チャンバが設けられ、前記動力チャンバの中には伝動装置が設けられ、前記動力チャンバの下壁の中には切り替えチャンバが設けられ、前記切り替えチャンバの中には動力保存装置が設けられる；本発明設備は前記伝動装置によって前記便ふた上げ装置を回転連動させ、便ふたを上げるあるいは閉めることを特徴とする便利な便ふた上げ機。
【請求項２】
前記伝動装置は前記動力チャンバの中に設けられた蓋左軸を含み、前記蓋左軸の下端には第一片方向歯車が設けられ、前記蓋左軸の底端には駆動プーリーが設けられ、前記回転溝の左壁の中には伝動チャンバが設けられ、前記伝動チャンバの中には蓋右軸が設けられ、前記蓋右軸の頂端には従動プーリーが設けられ、前記従動プーリーと前記駆動プーリーとの間にはベルトが伝動できるように設けられ、前記蓋右軸の下端には蓋駆動傘歯車が設けられ、前記動力チャンバの中には上げ左軸が設けられ、前記上げ左軸の頂端には第二片方向歯車が設けられ、前記上げ左軸の底端には上げ駆動傘歯車が設けられ、前記伝動チャンバの中には上げ右軸が設けられ、前記上げ右軸の左端には前記上げ駆動傘歯車と噛み合っている上げ従動傘歯車が設けられ、前記上げ右軸の右端には上げ駆動歯車が設けられる；前記伝動装置は動力を前記便ふた上げ装置まで伝達することができることを特徴とする請求項１に記載の便利な便ふた上げ機。
【請求項３】
前記便ふた上げ装置は前記下ロッドの後壁に設けられた正歯車を含み、前記回転溝の中には従動軸が設けられ、前記従動軸の後端には前記正歯車と噛み合っている副歯車が設けられ、前記従動軸の前端には従動傘歯車が設けられ、前記伝動チャンバの中には駆動軸が設けられ、前記駆動軸の右端には前記従動傘歯車と噛み合っている駆動傘歯車が設けられ、前記駆動軸の左端には前記上げ駆動歯車と噛み合っている上げ従動歯車が設けられ、前記駆動軸の外壁には前記蓋駆動傘歯車と噛み合っている蓋従動傘歯車が設けられる；前記便ふた上げ装置は便ふたを上げるまたは閉めることができることを特徴とする請求項１に記載の便利な便ふた上げ機。
【請求項４】
前記動力保存装置は前記切り替えチャンバの中に設けられた切り替え軸を含み、前記切り替え軸の後端には切り替え羽根車が設けられ、前記切り替え軸の前端には切り替え駆動傘歯車が設けられ、前記切り替えチャンバの中には下動力保存軸が設けられ、前記下動力保存軸の底端には前記切り替え駆動傘歯車と噛み合っている切り替え従動傘歯車が設けられ、前記動力チャンバの中には上動力保存軸が回転できるように設けられ、前記上動力保存軸の頂端には前記第一片方向歯車と噛み合っている第三片方向歯車が設けられ、前記第三片方向歯車と動力チャンバの頂壁との間には第一トーションバネが設けられ、前記上動力保存軸の外壁には前記第二片方向歯車と噛み合っている第四片方向歯車が設けられ、前記第四片方向歯車と前記動力チャンバの底壁との間には第二トーションバネが設けられ、前記上動力保存軸と前記下動力保存軸とが自在継手を通じてヒンジにより連結される；前記動力保存装置は水流のエネルギーを機械のエネルギーに切り替えて保存することができることを特徴とする請求項１に記載の便利な便ふた上げ機。
【請求項５】
前記動力チャンバの中には前記第三片方向歯車及び第四片方向歯車と係合している位置制限ラチェット爪がスライドできるように設けられ、前記動力チャンバの左壁の中には位置切り替え溝が設けられ、前記位置切り替え溝の中には永久磁石が設けられ、前記永久磁石と前記位置制限ラチェット爪が固定的に連結され、前記位置切り替え溝の底壁の中には電磁石が設けられ、前記電磁石と前記永久磁石との間には復帰バネが設けられることを特徴とする請求項４に記載の便利な便ふた上げ機。
【発明の詳細な説明】
【技術分野】
【０００１】
本発明は生活用品分野を取り上げて、具体的には便利な便ふた上げ機である。
【背景技術】
【０００２】
社会の発展により、便座の普及率がだんだん増えていき、しかし手で直接に触るのが不衛生であり、ばい菌に感染されやすく、しかし現在の便ふた上げ機はまた人が腰を曲がって手動で上げる必要があり、操作が非常に不便であり、年寄りにとって非常に不便である；従って、本発明はリモートコントロール式便利な便ふた上げ機を設計する。
【先行技術文献】
【特許文献】
【０００３】
【特許文献１】中国特許出願公開第１０３３００７８４号明細書
【発明の概要】
【発明が解決しようとする課題】
【０００４】
本発明の目的は便利な便ふた上げ機を提供し、それは上記の現在の技術中の問題を解決できる。
【課題を解決するための手段】
【０００５】
本発明の便利な便ふた上げ機は、台座を含み、前記台座の中には回転溝が設けられ、前記回転溝の中には下ロッドが回転できるように設けられ、前記下ロッドの頂端には上ロッドが設けられ、前記台座が便座表面に固定され、前記上ロッドと便ふたとがヒンジにより連結され、前記回転溝の中には便ふた上げ装置が設けられ、前記回転溝の左壁の中には動力チャンバが設けられ、前記動力チャンバの中には伝動装置が設けられ、前記動力チャンバの下壁の中には切り替えチャンバが設けられ、前記切り替えチャンバの中には動力保存装置が設けられる；本発明設備は前記伝動装置によって前記便ふた上げ装置を回転連動させ、便ふたを上げるあるいは閉める。
【０００６】
有益的には、前記伝動装置は前記動力チャンバの中に設けられた蓋左軸を含み、前記蓋左軸の下端には第一片方向歯車が設けられ、前記蓋左軸の底端には駆動プーリーが設けられ、前記回転溝の左壁の中には伝動チャンバが設けられ、前記伝動チャンバの中には蓋右軸が設けられ、前記蓋右軸の頂端には従動プーリーが設けられ、前記従動プーリーと前記駆動プーリーとの間にはベルトが伝動できるように設けられ、前記蓋右軸の下端には蓋駆動傘歯車が設けられ、前記動力チャンバの中には上げ左軸が設けられ、前記上げ左軸の頂端には第二片方向歯車が設けられ、前記上げ左軸の底端には上げ駆動傘歯車が設けられ、前記伝動チャンバの中には上げ右軸が設けられ、前記上げ右軸の左端には前記上げ駆動傘歯車と噛み合っている上げ従動傘歯車が設けられ、前記上げ右軸の右端には上げ駆動歯車が設けられる；前記伝動装置は動力を前記便ふた上げ装置まで伝達することができる。
【０００７】
有益的には、前記便ふた上げ装置は前記下ロッドの後壁に設けられた正歯車を含み、前記回転溝の中には従動軸が設けられ、前記従動軸の後端には前記正歯車と噛み合っている副歯車が設けられ、前記従動軸の前端には従動傘歯車が設けられ、前記伝動チャンバの中には駆動軸が設けられ、前記駆動軸の右端には前記従動傘歯車と噛み合っている駆動傘歯車が設けられ、前記駆動軸の左端には前記上げ駆動歯車と噛み合っている上げ従動歯車が設けられ、前記駆動軸の外壁には前記蓋駆動傘歯車と噛み合っている蓋従動傘歯車が設けられる；前記便ふた上げ装置は便ふたを上げるまたは閉めることができる。
【０００８】
有益的には、前記動力保存装置は前記切り替えチャンバの中に設けられた切り替え軸を含み、前記切り替え軸の後端には切り替え羽根車が設けられ、前記切り替え軸の前端には切り替え駆動傘歯車が設けられ、前記切り替えチャンバの中には下動力保存軸が設けられ、前記下動力保存軸の底端には前記切り替え駆動傘歯車と噛み合っている切り替え従動傘歯車が設けられ、前記動力チャンバの中には上動力保存軸が回転できるように設けられ、前記上動力保存軸の頂端には前記第一片方向歯車と噛み合っている第三片方向歯車が設けられ、前記第三片方向歯車と動力チャンバの頂壁との間には第一トーションバネが設けられ、前記上動力保存軸の外壁には前記第二片方向歯車と噛み合っている第四片方向歯車が設けられ、前記第四片方向歯車と前記動力チャンバの底壁との間には第二トーションバネが設けられ、前記上動力保存軸と前記下動力保存軸とが自在継手を通じてヒンジにより連結される；前記動力保存装置は水流のエネルギーを機械のエネルギーに切り替えて保存することができる。
【０００９】
有益的には、前記動力チャンバの中には前記第三片方向歯車及び第四片方向歯車と係合している位置制限ラチェット爪がスライドできるように設けられ、前記動力チャンバの左壁の中には位置切り替え溝が設けられ、前記位置切り替え溝の中には永久磁石が設けられ、前記永久磁石と前記位置制限ラチェット爪が固定的に連結され、前記位置切り替え溝の底壁の中には電磁石が設けられ、前記電磁石と前記永久磁石との間には復帰バネが設けられる。
【発明の効果】
【００１０】
本発明は構造が簡単で、操作、整備が便利であり、本発明設備は外部電源の接続が不要であり、安全性が高く、更に体積が比較的に小さく、取り付けやすく、また本発明設備は自動的に便ふたを上げることができ、使用が簡単であり、従って、本発明設備は比較的に高い使用価値と普及価値を備える。
【図面の簡単な説明】
【００１１】
本発明の実施例また既存の技術の中の技術方案をもっとはっきり説明するため、下記に実施例また既存の技術の説明の中に使用する必要がある附図に簡単な紹介を行う。
【００１２】
【図１】図１は本発明の利な便ふた上げ機の全体構成略図である；
【図２】図２は図１のＡの構成略図である；
【図３】図３は図１のＢの構成略図である。
【発明を実施するための形態】
【００１３】
以下、上記図を合わせて本発明について詳しく説明し、また、説明の便利を図るため、下記に記載の上下左右前後方向が図１自身の投影関係の上下左右前後方向と一致することにする。
【００１４】
図１−３を参照し、本発明の便利な便ふた上げ機は、台座２０を含み、前記台座２０の中には回転溝４２が設けられ、前記回転溝４２の中には下ロッド１４が回転できるように設けられ、前記下ロッド１４の頂端には上ロッド１３が設けられ、前記台座２０が便座表面に固定され、前記上ロッド１３と便ふたとがヒンジにより連結され、前記回転溝４２の中には便ふた上げ装置２００が設けられ、前記回転溝４２の左壁の中には動力チャンバ２８が設けられ、前記動力チャンバ２８の中には伝動装置１００が設けられ、前記動力チャンバ２８の下壁の中には切り替えチャンバ５０が設けられ、前記切り替えチャンバ５０の中には動力保存装置３００が設けられる；本発明設備は前記伝動装置１００によって前記便ふた上げ装置２００を回転連動させ、便ふたを上げるあるいは閉める。
【００１５】
有益的には、前記伝動装置１００は前記動力チャンバ２８の中に設けられた蓋左軸１８を含み、前記蓋左軸１８の下端には第一片方向歯車１９が設けられ、前記蓋左軸１８の底端には駆動プーリー１７が設けられ、前記回転溝４２の左壁の中には伝動チャンバ３６が設けられ、前記伝動チャンバ３６の中には蓋右軸４６が設けられ、前記蓋右軸４６の頂端には従動プーリー１５が設けられ、前記従動プーリー１５と前記駆動プーリー１７との間にはベルト１６が伝動できるように設けられ、前記蓋右軸４６の下端には蓋駆動傘歯車４５が設けられ、前記動力チャンバ２８の中には上げ左軸２９が設けられ、前記上げ左軸２９の頂端には第二片方向歯車５３が設けられ、前記上げ左軸２９の底端には上げ駆動傘歯車３１が設けられ、前記伝動チャンバ３６の中には上げ右軸３３が設けられ、前記上げ右軸３３の左端には前記上げ駆動傘歯車３１と噛み合っている上げ従動傘歯車３２が設けられ、前記上げ右軸の右端には上げ駆動歯車３４が設けられる；前記伝動装置１００は動力を前記便ふた上げ装置２００まで伝達することができる。
【００１６】
有益的には、前記便ふた上げ装置２００は前記下ロッド１４の後壁に設けられた正歯車４３を含み、前記回転溝４２の中には従動軸３９が設けられ、前記従動軸３９の後端には前記正歯車４３と噛み合っている副歯車４１が設けられ、前記従動軸３９の前端には従動傘歯車４０が設けられ、前記伝動チャンバ３６の中には駆動軸３７が設けられ、前記駆動軸３７の右端には前記従動傘歯車４０と噛み合っている駆動傘歯車３８が設けられ、前記駆動軸３７の左端には前記上げ駆動歯車３４と噛み合っている上げ従動歯車３５が設けられ、前記駆動軸３７の外壁には前記蓋駆動傘歯車４５と噛み合っている蓋従動傘歯車４４が設けられる；前記便ふた上げ装置２００は便ふたを上げるまたは閉めることができる。
【００１７】
有益的には、前記動力保存装置３００は前記切り替えチャンバ５０の中に設けられた切り替え軸４９を含み、前記切り替え軸４９の後端には切り替え羽根車４７が設けられ、前記切り替え軸４９の前端には切り替え駆動傘歯車４８が設けられ、前記切り替えチャンバ５０の中には下動力保存軸５２が設けられ、前記下動力保存軸５２の底端には前記切り替え駆動傘歯車４８と噛み合っている切り替え従動傘歯車５１が設けられ、前記動力チャンバ２８の中には上動力保存軸３０が回転できるように設けられ、前記上動力保存軸３０の頂端には前記第一片方向歯車１９と噛み合っている第三片方向歯車２１が設けられ、前記第三片方向歯車２１と動力チャンバ２８の頂壁との間には第一トーションバネ５４が設けられ、前記上動力保存軸３０の外壁には前記第二片方向歯車５３と噛み合っている第四片方向歯車２３が設けられ、前記第四片方向歯車２３と前記動力チャンバ２８の底壁との間には第二トーションバネ５５が設けられ、前記上動力保存軸３０と前記下動力保存軸５２とが自在継手を通じてヒンジにより連結される；前記動力保存装置３００は水流のエネルギーを機械のエネルギーに切り替えて保存することができる。
【００１８】
有益的には、前記動力チャンバ２８の中には前記第三片方向歯車２１及び第四片方向歯車２３と係合している位置制限ラチェット爪２２がスライドできるように設けられ、前記動力チャンバ２８の左壁の中には位置切り替え溝２５が設けられ、前記位置切り替え溝２５の中には永久磁石２４が設けられ、前記永久磁石２４と前記位置制限ラチェット爪２２が固定的に連結され、前記位置切り替え溝２５の底壁の中には電磁石２７が設けられ、前記電磁石２７と前記永久磁石２４との間には復帰バネ２６が設けられる。
【００１９】
本発明設備を使用する時、トイレを洗い流すときの水流が切り替え羽根車４７を回転連動させ、これにより切り替え軸４９、切り替え駆動傘歯車４８、切り替え従動傘歯車５１、下動力保存軸５２、上動力保存軸３０によって第四片方向歯車２３及び第三片方向歯車２１を回転連動させ、これにより第一トーションバネ５４、第二トーションバネ５５の弾性位置エネルギーが増え、便ふたを上げる時に、電磁石２７が順方向に通電され、これにより永久磁石２４によって位置制限ラチェット爪２２を上にスライドし連動させ、第二トーションバネ５５の弾性位置エネルギーが解放され、第四片方向歯車２３が順次に第二片方向歯車５３、上げ左軸２９、上げ駆動傘歯車３１、上げ従動傘歯車３２、上げ右軸３３、上げ駆動歯車３４、上げ従動歯車３５、駆動軸３７、駆動傘歯車３８、従動傘歯車４０、従動軸３９、副歯車４１、正歯車４３によって下ロッド１４を回転連動させ、これにより上ロッド１３によって便ふたを上げ、便ふたを閉める時に、電磁石２７が逆方向に通電され、これにより永久磁石２４によって位置制限ラチェット爪２２を下にスライドし連動させ、第一トーションバネ５４の弾性位置エネルギーが解放され、第三片方向歯車２１が順次に第一片方向歯車１９、蓋左軸１８、駆動プーリー１７、従動プーリー１５、蓋右軸４６、蓋駆動傘歯車４５、蓋従動傘歯車４４、駆動軸３７、駆動傘歯車３８、従動傘歯車４０、従動軸３９、副歯車４１、正歯車４３によって下ロッド１４を回転連動させ、これにより上ロッド１３によって便ふたを閉める。
【００２０】
本発明の有益効果は：本発明は構造が簡単で、操作、整備が便利であり、本発明設備は外部電源の接続が不要であり、安全性が高く、更に体積が比較的に小さく、取り付けやすく、また本発明設備は自動的に便ふたを上げることができ、使用が簡単であり、従って、本発明設備は比較的に高い使用価値と普及価値を備える。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020157024.tif 000003
【図２】
2020157024.tif 000004
【図３】
2020157024.tif 000005
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
台座を含み、前記台座の中には回転溝が設けられ、前記回転溝の中には下ロッドが回転できるように設けられ、前記下ロッドの頂端には上ロッドが設けられ、前記台座が便座表面に固定され、前記上ロッドと便ふたとがヒンジにより連結され、前記回転溝の中には便ふた上げ装置が設けられ、前記回転溝の左壁の中には動力チャンバが設けられ、前記動力チャンバの中には伝動装置が設けられ、前記動力チャンバの下壁の中には切り替えチャンバが設けられ、前記切り替えチャンバの中には動力保存装置が設けられており、本発明は前記伝動装置によって前記便ふた上げ装置を回転連動させ、便ふたを上げるあるいは閉め、
前記伝動装置は前記動力チャンバの中に設けられた蓋左軸を含み、前記蓋左軸の下端には第一片方向歯車が設けられ、前記蓋左軸の底端には駆動プーリーが設けられ、前記回転溝の左壁の中には伝動チャンバが設けられ、前記伝動チャンバの中には蓋右軸が設けられ、前記蓋右軸の頂端には従動プーリーが設けられ、前記従動プーリーと前記駆動プーリーとの間にはベルトが伝動できるように設けられ、前記蓋右軸の下端には蓋駆動傘歯車が設けられ、前記動力チャンバの中には上げ左軸が設けられ、前記上げ左軸の頂端には第二片方向歯車が設けられ、前記上げ左軸の底端には上げ駆動傘歯車が設けられ、前記伝動チャンバの中には上げ右軸が設けられ、前記上げ右軸の左端には前記上げ駆動傘歯車と噛み合っている上げ従動傘歯車が設けられ、前記上げ右軸の右端には上げ駆動歯車が設けられており、前記伝動装置は動力を前記便ふた上げ装置まで伝達することができ、
前記便ふた上げ装置は前記下ロッドの後壁に設けられた正歯車を含み、前記回転溝の中には従動軸が設けられ、前記従動軸の後端には前記正歯車と噛み合っている副歯車が設けられ、前記従動軸の前端には従動傘歯車が設けられ、前記伝動チャンバの中には駆動軸が設けられ、前記駆動軸の右端には前記従動傘歯車と噛み合っている駆動傘歯車が設けられ、前記駆動軸の左端には前記上げ駆動歯車と噛み合っている上げ従動歯車が設けられ、前記駆動軸の外壁には前記蓋駆動傘歯車と噛み合っている蓋従動傘歯車が設けられており、前記便ふた上げ装置は便ふたを上げるまたは閉めることができ、
前記動力保存装置は前記切り替えチャンバの中に設けられた切り替え軸を含み、前記切り替え軸の後端には切り替え羽根車が設けられ、前記切り替え軸の前端には切り替え駆動傘歯車が設けられ、前記切り替えチャンバの中には下動力保存軸が設けられ、前記下動力保存軸の底端には前記切り替え駆動傘歯車と噛み合っている切り替え従動傘歯車が設けられ、前記動力チャンバの中には上動力保存軸が回転できるように設けられ、前記上動力保存軸の頂端には前記第一片方向歯車と片方向に噛み合っている第三片方向歯車が設けられ、前記第一片方向歯車又は前記第三片方向歯車が一定な方向に回転するときにしか前記第一片方向歯車と前記第三片方向歯車との間が伝動できなく、ラチェットの原理と類似であり、前記第三片方向歯車と前記動力チャンバの上側内壁との間には第一トーションバネが固定的に連結され、前記上動力保存軸の外壁には前記第二片方向歯車と片方向に噛み合っている第四片方向歯車が設けられ、前記第四片方向歯車と前記第二片方向歯車が一定な方向に回転するときにしか前記第四片方向歯車と前記第二片方向歯車との間が伝動できなく、ラチェットの原理と類似であり、前記第四片方向歯車と前記動力チャンバの上側内壁との間には第二トーションバネが固定的に連結され、前記上動力保存軸と前記下動力保存軸とが自在継手を通じてヒンジにより連結されており、前記動力保存装置は水流のエネルギーを機械のエネルギーに切り替えて保存することができ、
前記動力チャンバの中には前記第三片方向歯車と前記第四片方向歯車の回転方向を制限できる位置制限ラチェット爪がスライドできるように設けられ、前記位置制限ラチェット爪と前記第三片方向歯車又は前記第四片方向歯車とが当接するとき、前記第三片方向歯車と前記第四片方向歯車とが片方向しか回転できなく、前記動力チャンバの左壁の中には位置切り替え溝が設けられ、前記位置切り替え溝の中には永久磁石が設けられ、前記永久磁石と前記位置制限ラチェット爪が固定的に連結され、前記位置切り替え溝の底壁の中には電磁石が設けられ、前記電磁石と前記永久磁石との間には復帰バネが設けられることを特徴とする便利な便ふた上げ機。
【手続補正２】
【補正対象書類名】明細書
【補正対象項目名】全文
【補正方法】変更
【補正の内容】
【発明の詳細な説明】
【技術分野】
【０００１】
本発明は生活用品分野を取り上げて、具体的には便利な便ふた上げ機である。
【背景技術】
【０００２】
社会の発展により、便座の普及率がだんだん増えていき、しかし手で直接に触るのが不衛生であり、ばい菌に感染されやすく、しかし現在の便ふた上げ機はまた人が腰を曲がって手動で上げる必要があり、操作が非常に不便であり、年寄りにとって非常に不便である。従って、本発明はリモートコントロール式便利な便ふた上げ機を設計する。
【先行技術文献】
【特許文献】
【０００３】
【特許文献１】中国特許出願公開第１０３３００７８４号明細書
【発明の概要】
【発明が解決しようとする課題】
【０００４】
本発明の目的は便利な便ふた上げ機を提供し、それは上記の現在の技術中の問題を解決できる。
【課題を解決するための手段】
【０００５】
本発明の便利な便ふた上げ機は、台座を含み、前記台座の中には回転溝が設けられ、前記回転溝の中には下ロッドが回転できるように設けられ、前記下ロッドの頂端には上ロッドが設けられ、前記台座が便座表面に固定され、前記上ロッドと便ふたとがヒンジにより連結され、前記回転溝の中には便ふた上げ装置が設けられ、前記回転溝の左壁の中には動力チャンバが設けられ、前記動力チャンバの中には伝動装置が設けられ、前記動力チャンバの下壁の中には切り替えチャンバが設けられ、前記切り替えチャンバの中には動力保存装置が設けられており、本発明は前記伝動装置によって前記便ふた上げ装置を回転連動させ、便ふたを上げるあるいは閉める。
【０００６】
有益的には、前記伝動装置は前記動力チャンバの中に設けられた蓋左軸を含み、前記蓋左軸の下端には第一片方向歯車が設けられ、前記蓋左軸の底端には駆動プーリーが設けられ、前記回転溝の左壁の中には伝動チャンバが設けられ、前記伝動チャンバの中には蓋右軸が設けられ、前記蓋右軸の頂端には従動プーリーが設けられ、前記従動プーリーと前記駆動プーリーとの間にはベルトが伝動できるように設けられ、前記蓋右軸の下端には蓋駆動傘歯車が設けられ、前記動力チャンバの中には上げ左軸が設けられ、前記上げ左軸の頂端には第二片方向歯車が設けられ、前記上げ左軸の底端には上げ駆動傘歯車が設けられ、前記伝動チャンバの中には上げ右軸が設けられ、前記上げ右軸の左端には前記上げ駆動傘歯車と噛み合っている上げ従動傘歯車が設けられ、前記上げ右軸の右端には上げ駆動歯車が設けられており、前記伝動装置は動力を前記便ふた上げ装置まで伝達することができる。
【０００７】
有益的には、前記便ふた上げ装置は前記下ロッドの後壁に設けられた正歯車を含み、前記回転溝の中には従動軸が設けられ、前記従動軸の後端には前記正歯車と噛み合っている副歯車が設けられ、前記従動軸の前端には従動傘歯車が設けられ、前記伝動チャンバの中には駆動軸が設けられ、前記駆動軸の右端には前記従動傘歯車と噛み合っている駆動傘歯車が設けられ、前記駆動軸の左端には前記上げ駆動歯車と噛み合っている上げ従動歯車が設けられ、前記駆動軸の外壁には前記蓋駆動傘歯車と噛み合っている蓋従動傘歯車が設けられており、前記便ふた上げ装置は便ふたを上げるまたは閉めることができる。
【０００８】
有益的には、前記動力保存装置は前記切り替えチャンバの中に設けられた切り替え軸を含み、前記切り替え軸の後端には切り替え羽根車が設けられ、前記切り替え軸の前端には切り替え駆動傘歯車が設けられ、前記切り替えチャンバの中には下動力保存軸が設けられ、前記下動力保存軸の底端には前記切り替え駆動傘歯車と噛み合っている切り替え従動傘歯車が設けられ、前記動力チャンバの中には上動力保存軸が回転できるように設けられ、前記上動力保存軸の頂端には前記第一片方向歯車と片方向に噛み合っている第三片方向歯車が設けられ、前記第一片方向歯車又は前記第三片方向歯車が一定な方向に回転するときにしか前記第一片方向歯車と前記第三片方向歯車との間が伝動できなく、ラチェットの原理と類似であり、前記第三片方向歯車と前記動力チャンバの上側内壁との間には第一トーションバネが固定的に連結され、前記上動力保存軸の外壁には前記第二片方向歯車と片方向に噛み合っている第四片方向歯車が設けられ、前記第四片方向歯車と前記第二片方向歯車が一定な方向に回転するときにしか前記第四片方向歯車と前記第二片方向歯車との間が伝動できなく、ラチェットの原理と類似であり、前記第四片方向歯車と前記動力チャンバの上側内壁との間には第二トーションバネが固定的に連結され、前記上動力保存軸と前記下動力保存軸とが自在継手を通じてヒンジにより連結されており、前記動力保存装置は水流のエネルギーを機械のエネルギーに切り替えて保存することができる。
【０００９】
有益的には、前記動力チャンバの中には前記第三片方向歯車と前記第四片方向歯車の回転方向を制限できる位置制限ラチェット爪がスライドできるように設けられ、前記位置制限ラチェット爪と前記第三片方向歯車又は前記第四片方向歯車とが当接するとき、前記第三片方向歯車と前記第四片方向歯車とが片方向しか回転できなく、前記動力チャンバの左壁の中には位置切り替え溝が設けられ、前記位置切り替え溝の中には永久磁石が設けられ、前記永久磁石と前記位置制限ラチェット爪が固定的に連結され、前記位置切り替え溝の底壁の中には電磁石が設けられ、前記電磁石と前記永久磁石との間には復帰バネが設けられる。
【発明の効果】
【００１０】
本発明は構造が簡単で、操作、整備が便利であり、本発明は外部電源の接続が不要であり、安全性が高く、更に体積が比較的に小さく、取り付けやすく、また本発明は自動的に便ふたを上げることができ、使用が簡単であり、従って、本発明は比較的に高い使用価値と普及価値を備える。
【図面の簡単な説明】
【００１１】
本発明の実施例また既存の技術の中の技術方案をもっとはっきり説明するため、下記に実施例また既存の技術の説明の中に使用する必要がある附図に簡単な紹介を行う。
【００１２】
【図１】図１は本発明の利な便ふた上げ機の全体構成略図
【図２】図２は図１のＡの構成略図
【図３】図３は図１のＢの構成略図
【発明を実施するための形態】
【００１３】
以下、上記図を合わせて本発明について詳しく説明し、また、説明の便利を図るため、下記に記載の上下左右前後方向が図１自身の投影関係の上下左右前後方向と一致することにする。
【００１４】
図１−３を参照し、本発明の便利な便ふた上げ機は、台座２０を含み、前記台座２０の中には回転溝４２が設けられ、前記回転溝４２の中には下ロッド１４が回転できるように設けられ、前記下ロッド１４の頂端には上ロッド１３が設けられ、前記台座２０が便座表面に固定され、前記上ロッド１３と便ふたとがヒンジにより連結され、前記回転溝４２の中には便ふた上げ装置２００が設けられ、前記回転溝４２の左壁の中には動力チャンバ２８が設けられ、前記動力チャンバ２８の中には伝動装置１００が設けられ、前記動力チャンバ２８の下壁の中には切り替えチャンバ５０が設けられ、前記切り替えチャンバ５０の中には動力保存装置３００が設けられており、本発明は前記伝動装置１００によって前記便ふた上げ装置２００を回転連動させ、便ふたを上げるあるいは閉める。
【００１５】
有益的には、前記伝動装置１００は前記動力チャンバ２８の中に設けられた蓋左軸１８を含み、前記蓋左軸１８の下端には第一片方向歯車１９が設けられ、前記蓋左軸１８の底端には駆動プーリー１７が設けられ、前記回転溝４２の左壁の中には伝動チャンバ３６が設けられ、前記伝動チャンバ３６の中には蓋右軸４６が設けられ、前記蓋右軸４６の頂端には従動プーリー１５が設けられ、前記従動プーリー１５と前記駆動プーリー１７との間にはベルト１６が伝動できるように設けられ、前記蓋右軸４６の下端には蓋駆動傘歯車４５が設けられ、前記動力チャンバ２８の中には上げ左軸２９が設けられ、前記上げ左軸２９の頂端には第二片方向歯車５３が設けられ、前記上げ左軸２９の底端には上げ駆動傘歯車３１が設けられ、前記伝動チャンバ３６の中には上げ右軸３３が設けられ、前記上げ右軸３３の左端には前記上げ駆動傘歯車３１と噛み合っている上げ従動傘歯車３２が設けられ、前記上げ右軸の右端には上げ駆動歯車３４が設けられており、前記伝動装置１００は動力を前記便ふた上げ装置２００まで伝達することができる。
【００１６】
有益的には、前記便ふた上げ装置２００は前記下ロッド１４の後壁に設けられた正歯車４３を含み、前記回転溝４２の中には従動軸３９が設けられ、前記従動軸３９の後端には前記正歯車４３と噛み合っている副歯車４１が設けられ、前記従動軸３９の前端には従動傘歯車４０が設けられ、前記伝動チャンバ３６の中には駆動軸３７が設けられ、前記駆動軸３７の右端には前記従動傘歯車４０と噛み合っている駆動傘歯車３８が設けられ、前記駆動軸３７の左端には前記上げ駆動歯車３４と噛み合っている上げ従動歯車３５が設けられ、前記駆動軸３７の外壁には前記蓋駆動傘歯車４５と噛み合っている蓋従動傘歯車４４が設けられており、前記便ふた上げ装置２００は便ふたを上げるまたは閉めることができる。
【００１７】
有益的には、前記動力保存装置３００は前記切り替えチャンバ５０の中に設けられた切り替え軸４９を含み、前記切り替え軸４９の後端には切り替え羽根車４７が設けられ、前記切り替え軸４９の前端には切り替え駆動傘歯車４８が設けられ、前記切り替えチャンバ５０の中には下動力保存軸５２が設けられ、前記下動力保存軸５２の底端には前記切り替え駆動傘歯車４８と噛み合っている切り替え従動傘歯車５１が設けられ、前記動力チャンバ２８の中には上動力保存軸３０が回転できるように設けられ、前記上動力保存軸３０の頂端には前記第一片方向歯車１９と片方向に噛み合っている第三片方向歯車２１が設けられ、前記第一片方向歯車１９又は前記第三片方向歯車２１が一定な方向に回転するときにしか前記第一片方向歯車１９と前記第三片方向歯車２１との間が伝動できなく、ラチェットの原理と類似であり、前記第三片方向歯車２１と前記動力チャンバ２８の上側内壁との間には第一トーションバネ５４が固定的に連結され、前記上動力保存軸３０の外壁には前記第二片方向歯車５３と片方向に噛み合っている第四片方向歯車２３が設けられ、前記第四片方向歯車２３と前記第二片方向歯車５３が一定な方向に回転するときにしか前記第四片方向歯車２３と前記第二片方向歯車５３との間が伝動できなく、ラチェットの原理と類似であり、前記第四片方向歯車２３と前記動力チャンバ２８の上側内壁との間には第二トーションバネ５５が固定的に連結され、前記上動力保存軸３０と前記下動力保存軸５２とが自在継手を通じてヒンジにより連結されており、前記動力保存装置３００は水流のエネルギーを機械のエネルギーに切り替えて保存することができる。
【００１８】
有益的には、前記動力チャンバ２８の中には前記第三片方向歯車２１と前記第四片方向歯車２３の回転方向を制限できる位置制限ラチェット爪２２がスライドできるように設けられ、前記位置制限ラチェット爪２２と前記第三片方向歯車２１又は前記第四片方向歯車２３とが当接するとき、前記第三片方向歯車２１と前記第四片方向歯車２３とが片方向しか回転できなく、前記動力チャンバ２８の左壁の中には位置切り替え溝２５が設けられ、前記位置切り替え溝２５の中には永久磁石２４が設けられ、前記永久磁石２４と前記位置制限ラチェット爪２２が固定的に連結され、前記位置切り替え溝２５の底壁の中には電磁石２７が設けられ、前記電磁石２７と前記永久磁石２４との間には復帰バネ２６が設けられる。
【００１９】
本発明を使用する時、トイレを洗い流すときの水流が切り替え羽根車４７を回転連動させ、これにより切り替え軸４９、切り替え駆動傘歯車４８、切り替え従動傘歯車５１、下動力保存軸５２、上動力保存軸３０によって第四片方向歯車２３及び第三片方向歯車２１を回転連動させ、これにより第一トーションバネ５４、第二トーションバネ５５の弾性位置エネルギーが増え、便ふたを上げる時に、電磁石２７が順方向に通電され、これにより永久磁石２４によって位置制限ラチェット爪２２を上にスライドし連動させ、第二トーションバネ５５の弾性位置エネルギーが解放され、第四片方向歯車２３が順次に第二片方向歯車５３、上げ左軸２９、上げ駆動傘歯車３１、上げ従動傘歯車３２、上げ右軸３３、上げ駆動歯車３４、上げ従動歯車３５、駆動軸３７、駆動傘歯車３８、従動傘歯車４０、従動軸３９、副歯車４１、正歯車４３によって下ロッド１４を回転連動させ、これにより上ロッド１３によって便ふたを上げ、便ふたを閉める時に、電磁石２７が逆方向に通電され、これにより永久磁石２４によって位置制限ラチェット爪２２を下にスライドし連動させ、第一トーションバネ５４の弾性位置エネルギーが解放され、第三片方向歯車２１が順次に第一片方向歯車１９、蓋左軸１８、駆動プーリー１７、従動プーリー１５、蓋右軸４６、蓋駆動傘歯車４５、蓋従動傘歯車４４、駆動軸３７、駆動傘歯車３８、従動傘歯車４０、従動軸３９、副歯車４１、正歯車４３によって下ロッド１４を回転連動させ、これにより上ロッド１３によって便ふたを閉める。
【００２０】
本発明の有益効果は：本発明は構造が簡単で、操作、整備が便利であり、本発明は外部電源の接続が不要であり、安全性が高く、更に体積が比較的に小さく、取り付けやすく、また本発明は自動的に便ふたを上げることができ、使用が簡単であり、従って、本発明は比較的に高い使用価値と普及価値を備える。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。